(57)【要約】【課題】銀塩のソフトフォーカス写真のように画像の輪郭が残ったぼけた画像を得る。【解決手段】ベイヤーデータ１０から、輝度データを所定の比率に配分して第１および第２の輝度データＹ（α）、Ｙ（β）を生成する。併せて色差データＣｂ，Ｃｒを生成する。第２の輝度データはＬＰＦ処理して第３の輝度データＹ’（β）に変換する。第１の輝度データＹ（α）、複数の色差データＣｂ，Ｃｒおよび第３の輝度データＹ’（β）を合成して、処理済画像データ１４を得る。【選択図】　　　　図２
2004102903.tif 000002
【特許請求の範囲】
【請求項１】
原画像から、輝度データを所定の比率に配分して第１および第２の輝度データを生成するとともに、色差データを生成するデータ生成手段と、前記第２の輝度データにフィルタ処理を行うことにより第３の輝度データを得る画像データ処理手段と、前記第１の輝度データおよび前記色差データと前記第３の輝度データとを合成する画像データ合成手段とを備えるフィルタ処理装置。
【請求項２】
前記フィルタ処理の前に前記第２の輝度データに対応した画像の解像度を低下させる解像度低下手段と、前記フィルタ処理の後に前記低下した解像度を復元させる解像度復元手段とを備えることを特徴とする請求項１に記載のフィルタ処理装置。
【請求項３】
前記解像度を復元させた後にフィルタ処理を行う第２の画像データ処理手段を備えることを特徴とする請求項２に記載のフィルタ処理装置。
【請求項４】
前記解像度が複数段階に設定可能であることを特徴とする請求項２に記載のフィルタ処理装置。
【請求項５】
前記データ生成手段が前記第１および第２の輝度データを独立に生成することを特徴とする請求項１に記載のフィルタ処理装置。
【請求項６】
前記データ生成手段が第１のガンマ曲線を用いてガンマ補正を行うことによって前記第１の輝度データを生成し、前記第１のガンマ曲線とは異なる第２のガンマ曲線を用いてガンマ補正を行うことによって前記第２の輝度データを生成することを特徴とする請求項５に記載のフィルタ処理装置。
【請求項７】
前記データ生成手段が、予め用意された複数のガンマ曲線から１つを前記第２のガンマ曲線として選択してガンマ補正を行うことを特徴とする請求項６に記載のフィルタ処理装置。
【請求項８】
前記所定の比率が複数段階に設定可能であることを特徴とする請求項１に記載のフィルタ処理装置。
【請求項９】
前記フィルタ処理がローパスフィルタ処理であり、ソフトフォーカス画像を得ることを特徴とする請求項１に記載のフィルタ処理装置。
【請求項１０】
請求項１ないし９に記載のフィルタ処理装置を備えることを特徴とするデジタルカメラ。
【請求項１１】
原画像から、輝度データを所定の比率に配分して第１および第２の輝度データを生成するとともに、色差データを生成するデータ生成ステップと、前記第２の輝度データにフィルタ処理を行うことにより第３の輝度データを得る画像データ処理ステップと、前記第１の輝度データおよび前記色差データと前記第３の輝度データとを合成する画像データ合成ステップとを備えるフィルタ処理方法。
【発明の詳細な説明】
【０００１】
【発明の属する技術分野】
本発明は、デジタル画像処理に関するものである。
【０００２】
【従来の技術】
銀塩カメラで撮影されたソフトフォーカス写真は、ぼけてフレアがかかったような写真であるにもかかわらず、被写体の特徴を充分に表現することができる。これは、画像の輪郭が残っているためで、レンズにソフトフォーカスレンズを使用することにより実現できる。
【０００３】
一方、デジタルカメラでは、ソフトフォーカス写真は画像処理によって作られることが一般である。その方法としては例えば、画像データの全て、すなわち色データ（Ｒ、Ｇ、Ｂ）の全てにローパスフィルタ処理を行うことが知られている（例えば、特許文献１参照）。
【０００４】
【特許文献１】
特開平９−２５１５３２号公報
【０００５】
【発明が解決しようとする課題】
しかし、この方法では、画像の全てにローパスフィルタ処理を掛けてしまうので、画像全体がぼけるとともに、画像の輪郭も失われてしまう。したがって、得られる画像は、銀塩カメラのソフトフォーカス写真のように被写体の特徴を充分に表現することはできない。また、被写体によっては、色のバランスを崩し、偽色を発生させることがある。
【０００６】
さらに、色データすべてにローパスフィルタを掛けることは、データ処理量が多くなるため、処理速度の遅延を招く。しかし、処理速度を速めるために、ＲＧＢのいずれか１つのデータのみにローパスフィルタを掛けると、色のバランスが崩れ不自然な画像が得られる。
【０００７】
そこで、本発明に係るフィルタ処理装置は、デジタルカメラにおいて、銀塩写真と同様に輪郭が失われず、偽色が発生しないソフトフォーカス写真を短時間の処理によって得ることを目的とする。
【０００８】
【課題を解決するための手段】
本発明のフィルタ処理装置は、原画像から、輝度データを所定の比率に配分して第１および第２の輝度データを生成するとともに、色差データを生成するデータ生成手段と、第２の輝度データにフィルタ処理を行うことにより第３の輝度データを得る画像データ処理手段と、第１の輝度データおよび色差データと第３の輝度データとを合成する画像データ合成手段とを備えることを特徴とする。これにより、例えばフィルタ処理がローパスフィルタ処理である場合、デジタルカメラにおいて、輪郭が残り、偽色が発生しないソフトフォーカス写真を得ることができる。
【０００９】
好ましくは、フィルタ処理の前に第２の輝度データに対応した画像の解像度を低下させる解像度低下手段と、フィルタ処理の後に低下した解像度を復元させる解像度復元手段とを備える。これにより、フィルタ処理の処理速度が速くなる。また、解像度を復元させた後にフィルタ処理を行う第２の画像データ処理手段を備えることが好ましい。これにより、解像度を復元させたとき等に発生したノイズを除去できる。
【００１０】
また、解像度を低下若しくは復元する場合、解像度は複数段階に設定可能であることが好ましい。これにより、フィルタ処理における効果が調整できる。
【００１１】
データ生成手段は、第１および第２の輝度データを独立に生成することが好ましい。この場合、データ生成手段は第１のガンマ曲線を用いてガンマ補正を行うことによって第１の輝度データを生成し、第１のガンマ曲線とは異なる第２のガンマ曲線を用いてガンマ補正を行うことによって第２の輝度データを生成することが好ましい。さらに、データ生成手段は、予め用意された複数のガンマ曲線から１つを第２のガンマ曲線として選択してガンマ補正を行うことが好ましい。
【００１２】
好ましくは、第１および第２の輝度データが分配される比率は複数段階に設定可能である。これにより、フィルタ処理における効果が調整可能できる。
以上のフィルタ処理は、ローパスフィルタ処理であることが好ましく、この場合ソフトフォーカス画像を得ることができる。
【００１３】
本発明に係るデジタルカメラは以上のフィルタ処理装置を備える。
本発明に係るフィルタ処理方法は、原画像から、輝度データを所定の比率に配分して第１および第２の輝度データを生成するとともに、色差データを生成するデータ生成ステップと、第２の輝度データにフィルタ処理を行うことにより第３の輝度データを得る画像データ処理ステップと、第１の輝度データおよび色差データと第３の輝度データとを合成する画像データ合成ステップとを備える。
【００１４】
【発明の実施の形態】
以下、本発明の実施形態について添付図面を参照して説明する。
【００１５】
図１は、本発明の一実施形態であるソフトフォーカス画像を得るためのフィルタ処理装置を有するデジタルカメラの処理回路５０を示す。被写体からの反射光は、レンズ５１を介して、所定のカラーフィルタを有するＣＣＤ５２に導かれる。ＣＣＤ５２では、被写体像に応じて電荷が生じ、その電荷の強さに応じて生成されたアナログ信号がアナログ信号処理回路５３に送られる。アナログ信号はアナログ信号処理回路５３において増幅されるとともにＡ／Ｄ変換された後、画像処理回路５４において所定の画像処理を施されて原画像のベイヤーデータとしてＳＤＲＡＭ５５に一旦格納される。
【００１６】
スイッチ５６では、撮影モードおよびその撮影モードにおける詳細設定情報が入力され、その入力に基づいて制御回路５７で制御情報が算出される。ここで、撮影モードがソフトフォーカスモードであるとき、スイッチ５６では詳細設定情報としてぼかし強度が入力され、制御情報としては、後述するベイヤーデータから第１、第２の輝度データを得るためのＹＣマトリックに関する情報、ＬＰＦ（ローパスフィルタ）処理において低下させられる解像度に関する情報およびガンマ曲線に関する情報が算出される。
【００１７】
画像処理回路５４において、ＳＤＲＡＭ５５に一旦格納されていたベイヤーデータが制御情報に基づいて画像処理される。画像処理されたデータは、処理済画像データとして、ＬＣＤモニタ５９に送られるとともに、制御回路５７に送られる。制御回路５７では、送られてきた処理済画像データがＪＰＥＧに従って符号化される。符号化された処理済画像データはコンパクトフラッシュ（登録商標）メモリ５８に記憶される。
【００１８】
図２は、画像処理回路５４におけるソフトフォーカスの画像処理の流れを示す図である。ベイヤーデータ１０は、ＣＣＤによって取り込まれた画像データであり、画素補間、ガンマ補正等されることによって、色データ（ＲＧＢ）である第１の色データ１１、第２の色データ２１に変換される。ここで、第１の色データ１１、第２の色データ２１を得るときのガンマ補正は、後述するように同一のガンマ曲線を用いて行われる場合もあるし、異なるガンマ曲線を用いられる場合もある。ガンマ曲線が同一の場合は、第１の色データ１１と第２の色データ２１が同一のデータとなる。
【００１９】
色データ１１、２１は、いわゆるＲＧＢ４：４：４の形式に従った画像データであり、それぞれのデータに対応する画像の画素数はベイヤーデータ１０に対応する画像の画素数に等しい。
【００２０】
第１の色データ１１は、後述する第１のＹＣマトリックスによって第１の輝度データＹ（α）と色差データＣｂ，Ｃｒに変換される。一方、第２の色データ２１は、後述する第２のＹＣマトリックスによって第２の輝度データＹ（β）と色差データＣｂ’，Ｃｒ’に変換される。Ｃｂ’，Ｃｒ’は使用されないので直ちに消去される。
【００２１】
輝度データＹ（α）と色差データＣｂ，Ｃｒは、いわゆるＹＣｂＣｒ４：２：２の形式に従ったデータであり、第１の輝度データＹ（α）のデータに対応する画像の画素数はベイヤーデータ１０に対応する画像の画素数と等しく、色差データＣｂ，Ｃｒに対応する画像の画素数はベイヤーデータ１０に対応する画像の画素数の半分である。第２の輝度データＹ（β）と色差データＣｂ’，Ｃｒ’についても同様である。
【００２２】
第２の輝度データＹ（β）は、後述するＬＰＦ処理により第３の輝度データＹ’（β）に変換される。したがって、第３の輝度データＹ’（β）に対応する画像は、被写体の輪郭がはっきりしないぼけた画像になる。
【００２３】
一方、第１の輝度データＹ（α）および色差データＣｂ、Ｃｒは、ＬＰＦ処理が施されていないため、データＹ（α）、Ｃｂ、Ｃｒに対応する画像は、原画像のまま、すなわち、被写体の輪郭がはっきりと判別できる鮮明な画像である。
【００２４】
変換された第３の輝度データＹ’（β）と、第１の輝度データＹ（α）は加算され、輝度データＹ（α＋β）と色差データＣｂ、Ｃｒより形成される処理済画像データ１４が得られる。
【００２５】
処理済画像データ１４の輝度データＹ（α＋β）は、ＬＰＦ処理が掛けられた第３の輝度データＹ’（β）とＬＰＦ処理が掛けられていない第１の輝度データＹ（α）から成るので、処理済画像データ１４から得られる画像は、輪郭がはっきりと判別できる鮮明な画像とぼけた画像の合成画像である。また、第１の色データ１１と第２の色データ２１が同一の場合、輝度データＹ（α＋β）は、ベイヤーデータ１０から直接得られる本来の輝度データＹと略同一の値であるので、輝度データと色差データとのバランスは被写体像のものが維持できる。さらに、色差データＣｂ、Ｃｒには、本来のカラーバランスを保つためＬＰＦ処理が掛けられていないので、得られる画像に偽色も発生しない。以上により、本実施形態では、銀塩写真と同様に輪郭が失われず、偽色が発生しないソフトフォーカス写真を得ることができる。
【００２６】
式（１）は、第１の色データ１１を第１の輝度データＹ（α）と色差データＣｂ，Ｃｒに変換するための第１のＹＣマトリックスを示し、式（２）は第２の色データ２１を第２の輝度データＹ（β）と、色差データＣｂ’，Ｃｒ’に変換するための第２のＹＣマトリックスを示す。式（３）から（５）は、原画像の輝度データおよび色差データを表す数式である。
【００２７】
【数１】
2004102903.tif 000003
【数２】
2004102903.tif 000004
【数３】
2004102903.tif 000005
【００２８】
ここで、式（１）、（２）に示す係数αと係数βは、加算すると１となるように詳細設定情報に基づいて設定される。そのため、第１の色データ１１と第２の色データ２１が同一の場合、第１の輝度データＹ（α）と第２の輝度データＹ（β）を加算すると、式（３）に示す原画像の輝度データＹとなる。なお、ここでは、図２に示すように、色データ１１、２１の２つが得られる実施形態を示したが、得られる色データは１つであっても良い。その場合、色データを輝度データＹ、色差データＣｂ、Ｃｒに変換した後、輝度データＹを係数α、βの比率に分けることにより、第１の輝度データＹ（α）と第２の輝度データＹ（β）を求めても良い。
【００２９】
図３は、第２の輝度データＹ（β）から第３の輝度データＹ’（β）を得るためのＬＰＦ処理の流れ図である。輝度画像４１は第２の輝度データＹ（β）に対応する画像である。本実施形態において、輝度画像４１は２０４８×１５３６画素の画像であり、公知の手法により、例えば３２０×２４０画素の解像度低下画像４２に画像サイズが変換される。なお、解像度低下画像４２の画素数は後述する詳細設定情報によって決定される。
【００３０】
解像度低下画像４２の各々の画素データには公知の３×３マトリックスのローパスフィルタ処理が所定回数施され、ＬＰＦ画像４３のデータが得られる。ＬＰＦ画像４３は、輪郭がはっきりしないぼけた３２０×２４０画素の画像である。次に、公知の手法により、ＬＰＦ画像４３の解像度が復元され、ＬＰＦ画像４３は２０４８×１５３６画素の復元画像４４となる。その後、復元画像４４のデータはさらにローパスフィルタ処理が所定回数施され、第３の輝度データＹ’（β）が得られる。
【００３１】
ここで、ローパスフィルタ処理が、画像の解像度が低下させられてから行われるのは、次に述べるように、同一のマトリックス（例えば３×３）を使用しても、解像度が高い画像においてローパスフィルタ処理を行うよりも効果的に画像をぼかすことが可能だからである。
【００３２】
解像度が低下させられた解像度低下画像４２における１画素４７は、解像度が低下する前の輝度画像４１における数１０画素分の領域４６に相当する。したがって、解像度を低下させてからローパスフィルタを掛けると、解像度を低下させない場合に比べて、３×３マトリックスに対する参照領域が非常に大きくなる。このため、たとえ３×３マトリックスのように、参照画素数が少ないマトリックスによりローパスフィルタを掛けたとしても、参照画素が非常に大きいマトリックス（例えば数１０×数１０のマトリックス）によりローパスフィルタを掛けたときと同等のぼかし効果が得られる。また、マトリックスの参照画素は少ないので、処理速度は非常に速い。なお、解像度を復元してからさらにローパスフィルタ処理を行っているのは、解像度を復元したときにできるノイズを消去するためである。
【００３３】
以上のように、本実施形態におけるＬＰＦ処理は、一旦解像度を落とした画像にローパスフィルタ処理を施しているので、速い処理速度により、効果的にぼけた画像を得ることが可能である。
【００３４】
図４は、第１および第２の色データ１１、２１（図１参照）を生成するときのガンマ補正において用いられる第１および第２のガンマ曲線を示す。本実施形態において、入力量は１０ビット、出力量の量子化レベルは８ビットである。ベイヤーデータ１０から第１の色データ１１を生成するときに行なわれるガンマ補正は、第１のガンマ曲線ｘ１に基づいて行われる。第１のガンマ曲線ｘ１は、画像を得るために通常用いられるガンマ曲線であり、第１の色データは第１のガンマ曲線ｘ１に応じてコントラストが調整される。
【００３５】
ベイヤーデータ１０から第２の色データ２１を生成するとき、予め用意されたガンマ曲線ｘ２、ｙ２またはｚ２から１つを第２のガンマ曲線として選択して、その第２のガンマ曲線を用いてガンマ補正が行われる。第２のガンマ曲線として、ガンマ曲線ｘ２、ｙ２またはｚ２のいずれを選択するかは、後述する詳細制御情報により設定される。
【００３６】
ガンマ曲線ｘ２は、オフセットが０であり、第１のガンマ曲線ｘ１と同一の曲線であるため、入力値が０である場合、出力値も０となる。一方、ガンマ曲線ｙ２、ｚ２はオフセットがそれぞれ４、１６であり、入力値が０である場合でも、それぞれ出力値は４、１６となる。そして、入力値が大きくなるに従って出力値も大きくなるが、その割合は曲線ｘ１に比べ緩やかであるため、曲線ｙ２、ｚ２は入力値がある大きさのところで第１のガンマ曲線ｘ１と重なる。
【００３７】
例えば第２の色データを生成するとき、第２のガンマ曲線としてガンマ曲線ｙ２が用いられると、図４から分かるように色データに関する入力値が低い画素でも、ある程度の出力値が得られる。したがって、すべての画素がある程度の色データに関する出力値を得るので、第２の色データ２１に対応する画像は、全体的にフレアが掛かった画像になる。これにより、第２、第３の輝度データＹ（β）、Ｙ’（β）は対応する画像も同様にフレアが掛かった画像となり、画像処理によって得られる画像にもフレアが掛かり、ぼかし効果が得られる。ガンマ曲線ｚ２を用いた場合も同様であり、ガンマ曲線ｙ２に比べオフセット値が大きいので、さらに大きなぼかし効果が得られる。
【００３８】
すなわち、第２の輝度データＹ（β）を生成するとき、第１の輝度データＹ（α）を生成するときと異なったガンマ曲線によりガンマ補正を行うと、得られる処理済画像データ１４（図２参照）にＬＰＦ処理で得られるのとは異なるぼかし効果が得られる。
【００３９】
図５から図７は、デジタルカメラの処理回路５０における処理ルーチンを示すフローチャートである。このルーチンでは、図５に示すようにまずステップ１００において撮影モードが設定される。撮影モードは、例えば、通常撮影モード、マクロモード、ソフトフォーカスモード等の中から選択され、ステップ１１０において、その撮影モードの詳細設定情報が入力される。ソフトフォーカスモードであれば、詳細設定情報は、ぼかし強度が予め設定されている０〜４の５段階のうちから１つ選択されて入力される。表１に示すように、入力されたぼかし強度によって、詳細情報である式（１）、（２）の係数α、係数β、ＬＰＦ処理で変換される解像度サイズ、選択される第２のガンマ曲線が決定される。なお、図４に示すガンマ曲線ｘ２、ｙ２、ｚ２は、表１のｘ２、ｙ２、ｚ２に対応する。
【００４０】
【表１】
2004102903.tif 000006
【００４１】
ステップ１２０においてシャッターボタンが押されたか否かが判定される。シャッターボタンが押されていれば、ステップ１３０において撮影用のＣＣＤ５２（図１参照）の積分が行なわれ、ステップ１４０において、所定の画像処理が行なわれ、ＳＤＲＡＭ５５（図１参照）上にベイヤーデータが保存される。シャッターボタンが押されていない場合は、画像処理ルーチンは終了する。ステップ１６０において、ステップ１００で設定されているモードがソフトフォーカスモードか否かが判定される。ソフトフォーカスモードであれば、ステップ１７０に進みソフトフォーカスモードの画像処理が行われる。ソフトフォーカスモードでなければ、ステップ１８０に進みその他の撮影モードの画像処理が行われる。
【００４２】
ステップ１７０、１８０において処理された処理済画像データは、ステップ１８１において、ＬＣＤモニタ５９（図１参照）に出力され、ステップ１８２では、制御回路５７によってＪＰＥＧに従って符号化された後、ステップ１８３でコンパクトフラッシュ（登録商標）メモリ５８に記録され、画像処理ルーチンは終了する。
【００４３】
図６はステップ１７０におけるソフトフォーカスモードの画像処理ルーチンを示す。画像処理が開始されれば、ステップ２００において、ステップ１１０で設定されたぼかし強度が読み取られる。ステップ２０１では、ぼかし強度に応じた第２のガンマ曲線が決定される。
【００４４】
ステップ２０２では、ベイヤーデータが公知の手法により画素補間される。画素補間されたデータは、ステップ２０３において、ステップ２０１で設定されたガンマ曲線に応じてガンマ補正された後、所定の画像処理が施され、ステップ２０４で第１、第２の色データに変換される。
【００４５】
ステップ２１０では、ステップ２００で読み取られたぼかし強度に応じて係数α、β（式（１）、（２）参照）が決定される。α、βは上述したように、原画像の輝度データが第１の輝度データＹ（α）および第２の輝度データＹ（β）に配分される比率である。
【００４６】
ステップ２２０では、色差データＣｒ，Ｃｂとともにα、βに応じて第１および第２の輝度データＹ（α）、Ｙ（β）が生成される。ステップ２３０では生成された第２の輝度データＹ（β）にＬＰＦ処理が施され、第３の輝度データＹ’（β）が生成される。ＬＰＦ処理が終了すると、ステップ２４０では、第１の輝度データＹ（α）と第３の輝度データＹ’（β）および色差データＣｂ、Ｃｒが合成され処理済画像データ１４（図２参照）が求められ、前述のステップ１８１へ進む。
【００４７】
図７はステップ２３０におけるＬＰＦ処理のフローチャートを示す。ＬＰＦ処理が開始されると、ステップ３００において、ステップ２００で読み取られたぼかし強度に応じて解像度変換サイズが決定される。ステップ３１０では、第２の輝度データＹ（β）に対応した画像の解像度が、決定された解像度変換サイズに低下させられる。
【００４８】
次に、ステップ３２０では、対応する画像の解像度が低下させられた第２の輝度データＹ（β）にローパスフィルタ処理が予め設定されている所定回数だけ行われる。ステップ３３０では、低下した解像度をもとの解像度に復元させ、その輝度データにさらにローパスフィルタ処理が予め設定されている所定回数だけ行われる。これらの処理により、ＬＰＦ処理は終了し、第３の輝度データＹ’（β）が得られ、前述のステップ２４０に進む。
【００４９】
画像処理ルーチンに示したように、本実施形態では、式（１）（２）におけるα、βすわなち、輝度データＹを第１および第２の輝度データＹ（α）、Ｙ（β）に配分する比率、ＬＰＦ処理において変換する解像度、および第２の輝度データＹ（β）を生成するときに用いるガンマ曲線を複数段階に設定可能である。これにより、ソフトフォーカス写真のぼかしの程度が容易に設定可能となり、被写体の特徴や撮影者の趣向に応じたソフトフォーカス写真が容易に提供できる。
【００５０】
【発明の効果】
以上のように、例えばフィルタ処理がローパスフィルタ処理である場合、請求項１、１１に係る発明は、輝度データの一部にのみＬＰＦ処理を行うので、輪郭が残るにもかかわらず、ぼけた画像が得られる。また、色差データには、ＬＰＦ処理が施されないので、偽色も発生しない。これにより、銀塩のソフトフォーカス写真と同様の写真が得られる。
【００５１】
さらに、請求項２または３に係る発明は、ＬＰＦ処理において、画像の解像度を低下させてからローパスフィルタ処理を行うことから、ぼかしの程度が大きいソフトフォーカス写真を速い処理速度で得ることができる。また、請求項５または６に係る発明は、第２の輝度データを得るときに用いるガンマ曲線を第１の輝度データを得るときに用いるガンマ曲線と相違させることにより、ＬＰＦ処理で得られるぼかしと異なるぼかしをソフトフォーカス写真に付加することが可能となる。また、請求項４、７または８に係る発明は、さまざまなパラメータが数段階に設定されているので、被写体の特徴や撮影者の趣向に応じてソフトフォーカス写真のぼかし程度が数段階に設定可能である。
【図面の簡単な説明】
【図１】本発明の一実施形態であるソフトフォーカスフィルタ処理装置を有する処理回路の回路図である。
【図２】画像処理回路における画像処理の流れを示す図である。
【図３】第２の輝度データから第３の輝度データを得るためのＬＰＦ処理の流れ図である。
【図４】第１および第２のガンマ曲線を示すグラフである。
【図５】画像処理ルーチンを示すフローチャートである。
【図６】ソフトフォーカスモードの処理ルーチンを示すフローチャートである。
【図７】ＬＰＦ処理の処理ルーチンを示すフローチャートである。
【符号の説明】
１０　ベイヤーデータ
１４　処理済画像データ
５０　処理回路
５４　画像処理回路
Ｙ（α）　第１の輝度データ
Ｙ（β）　第２の輝度データ
Ｙ’（β）　第３の輝度データ
Ｃｂ，Ｃｒ　色差データ
【図１】
2004102903.tif 000007
【図２】
2004102903.tif 000008
【図３】
2004102903.tif 000009
【図４】
2004102903.tif 000010
【図５】
2004102903.tif 000011
【図６】
2004102903.tif 000012
【図７】
2004102903.tif 000013